(57)【要約】【課題】ストラップ付きの従業員カードなどを入れて首から吊るして携帯されるカードケースが、普段、身体の前でぶらぶらしていてじゃまにならないようにしながら、指で摘んで識別センサー機にかざしやすくすること。【解決手段】クリップＢを接続させたリール具内部の、トーションバネを取り付けた巻き取り部に接続させて巻き付けた紐を、穴部から引き出して接続させたクリップＡで、カードケースに取り付けておくことで、普段は、ストラップで首から下げても、クリップＢで上衣に留めているので、身体の前で、ぶらぶらせずじゃまにならなくなる上に、カードケースを指で摘んで紐を伸ばしながら移動させ、識別センサー機にかざしたあと、指を離すとトーションバネの巻き戻し力によって紐が巻き戻り、留めてあった元の位置に戻すことができる。【選択図】    図１
2005034580.tif 000002
【特許請求の範囲】
【請求項１】
カードケース本体（１）に、主にプラスチック製の板状の従業員カード（２）や名札などを入れ、ストラップ（３）で首から吊るして携帯するカードケース本体（１）において、紐（９）の一端を、リール具（６）内部の巻き取り部（７）に接続させて巻き付けておき、巻き取り部（７）に主にトーションバネ（１０）を取り付けておき、リール具（６）には、ワイシャツ（１１）など上衣に留めておくためのクリップＢ（５）などの留め具を接続させておき、リール具（６）に穴部（８）を設け、穴部（８）から紐（９）の他端を引き出し、クリップＡ（４）などの留め具に、紐（９）の他端を接続し、紐（９）を接続したクリップＡ（４）などの留め具で、カードケース本体（１）の主に下側に取り付けて接続させておくことにより、普段は、カードケース本体（１）をクリップＢ（５）など留め具でワイシャツ（１１）などの上衣に留めておいたり、外したりできるようにしながら、出入り口で名札を識別センサー機（１２）にかざすとき、いちいち、一度、クリップＡ（４）などの留め具をカードケース本体（１）から外したり、クリップＢ（５）などの留め具をワイシャツ（１１）などの上衣から外さないで、カードケース本体（１）やカードケース本体（１）に接続したクリップＡ（４）などの留め具を指で摘んで身体の前などに移動させることで、リール具（６）の巻き取り部（７）に巻き付けてある紐（９）が伸びて、カードケース本体（１）に差し込んで収容している従業員カード（２）ごと、識別センサー機（１２）にかざして、識別感知させたあと、カードケース本体（１）を離すと、トーションバネ（１０）の巻き戻し力によって、伸びていた紐（９）がリール具（６）内部の巻き取り部（７）に再び巻き戻され、ワイシャツ（１１）など上衣へ留めておいた元の位置に自動的に戻るように、カードケース本体（１）とクリップＢ（５）などの留め具との間に、リール具（６）を設けたカードケースなどを上衣に留めておくための留め具。
【発明の詳細な説明】
【発明の詳細な説明】
【技術分野】
【０００１】  本発明は、主にプラスチック製の板状のカードケース本体に、主にストラップを取り付け、識別用のため、従業員カードや名札や社員証や入門証などをカードケース本体に入れて収容しておき、首から吊るすなどして、カードケース本体ごと、識別センサーにかざして識別させる際、首から吊るしているカードケース本体をワイシャツなど上衣にクリップなどで留めておいたままにしておける上に、カードケース本体か、カードケース本体に取り付けたクリップなどの留め具を摘んで識別センサーまで移動させ、離すと、元の留めておいた位置に自動的に戻すことができるように為された従業員カードや名札などを入れて使用されるカードケースなどを上衣に留めておくための留め具に関する。
【背景技術】
【０００２】  従来のカードケースのうち、ストラップが取り付けてあるカードケースは、取り付けたストラップで首から吊るしているだけで、識別センサーにかざすときは、そのまま、カードケースを指で摘んで身体の前に移動させかざすだけなので便利であるが、普段は、首からストラップで吊るしているだけなので、身体を動かしたり、歩いたり、走ったりすると、カードケースがぶらぶらしていて、また、身体の前で揺れてじゃまになっていた。従来の先行技術では、ストラップとクリップを取り付けたカードケースでも、カードケースをストラップを使って首から吊るし、普段は、クリップでワイシャツなど上衣に留めておき、識別センサーにかざすときは、クリップを指で摘んでワイシャツなど上衣に留めておいた位置から一度外してから、カードケースを識別センサーに移動させ感知させたのち、再び、元の位置に戻してクリップでワイシャツなど上衣にクリップで留めなければならず面倒であった。
【発明が解決しようとする課題】
【０００３】  従来のカードケースのうち、ストラップが取り付けてあるカードケースは、取り付けたストラップで首から吊るしているだけで、識別センサーにかざすときは、そのまま、カードケースを指で摘んで身体の前に移動させかざすだけなので便利であるが、普段は、首からストラップで吊るしているだけなので、身体を動かしたり、歩いたり走ったり、前に身体を屈めたりすると、カードケースがぶらぶらしていて、また、身体の前で揺れてじゃまになっていたため、カードケースをズボンのポケットなどに入れておいて、識別センサーにかざすときに取り出してかざしたのちポケットに戻している人もいるのであった。カードケースに、ストラップとクリップを取り付けておき首から吊るし、普段は、クリップでワイシャツなど上衣に留めておき、識別センサーにかざす場合、クリップを指で摘んでワイシャツなど上衣に留めてある位置から一度外してから、カードケースを識別センサーに移動させ感知させたのち、再び、元の位置に戻してクリップでワイシャツなど上衣にクリップで留める方法を取るカードケースの場合は、普段は、クリップで留めているのでじゃまにならないが、最近は、情報管理の徹底や部外者の立ち入りを管理するため、識別センサーに感知させて出入りさせる企業や研究所が多くなっているが、建物の中でも何度も識別センサーで感知させないと次への移動・出入りできないようにしている企業や研究所が増えていて、いちいち、何回も、クリップを外したり、付けたりすることは面倒であり、普段は、クリップなどで留められていてぶらぶらせず、じゃまにならず、識別センサーにかざすときはカードケースを指で摘んで移動させて感知させ、離すと元の位置に戻るカードケースが求められていた。
【課題を解決するための手段】
【０００４】  カードケース本体に、主にプラスチック製の板状の従業員カードや名札などを入れ、ストラップで首から吊るして携帯するカードケース本体において、紐の一端を、リール具内部の巻き取り部に接続させて巻き付けておき、巻き取り部に、主にトーションバネを取り付けておき、リール具には、ワイシャツなど上衣に留めておくためのクリップＢなどの留め具を接続させておき、リール具に穴部を設け穴部から紐の他端を引き出し、クリップＡなどの留め具に、紐の他端を接続し、紐を接続したクリップＡなどの留め具で、カードケース本体の主に下側に取り付けて接続させておくことにより、普段は、カードケース本体をクリップＢなど留め具でワイシャツなどの上衣に留めておいたり、外したりできるようにしながら、出入り口で名札を識別センサー機にかざすとき、いちいち、一度、クリップＡなどの留め具をカードケース本体から外したり、クリップＢなどの留め具をワイシャツなどの上衣から外さないで、カードケース本体やカードケース本体に接続したクリップＡなどの留め具を指で摘んで身体の前などに移動させることで、リール具の巻き取り部に巻き付けてある紐が伸びて、カードケース本体に差し込んで収容している従業員カードごと、識別センサー機にかざして、識別感知させたあと、カードケース本体を離すと、トーションバネの巻き戻し力によって、伸びていた紐がリール具内部の巻き取り部に再び巻き戻され、ワイシャツなど上衣へ留めておいた元の位置に自動的に戻るように、カードケース本体とクリップＢなどの留め具との間に、リール具を設けるものであり、これにより、普段は、ストラップで首から吊るして使用していても、ワイシャツなどの上衣に、クリップＢなどの留め具で留められているのでぶらぶらしてじゃまにならず、出入り口から出入りするときは、カードケース本体に接続しているクリップＡや、上衣に留めているクリップＢなどの留め具を一度外さなくとも、カードケース本体か、カードケース本体に取り付けたクリップＡなどの留め具を指で摘んで身体の前の方に引っ張り、カードケース本体を識別センサー機にかざすことで感知させロックを解除させて出入りすることができるようになり、さらに、カードケース本体から指を離すだけで、トーションバネの巻き戻し力によって、伸びていた紐がリール具に内部の巻き取り部に巻き戻り、カードケース本体は、上衣の留めてあった元の位置に戻すことができるようになる。
【発明を実施するための最良の形態】
【０００５】  本発明は、従業員カードや名札などを入れて、ストラップで首から吊るして携帯して使用されるカードケースにおいて、普段は、クリップＢなどの留め具でワイシャツなどの上衣に留められているため、身体の前でぶらぶらしてじゃまにならず、カードケース本体か、カードケース本体に取り付けたクリップＡなどの留め具を指で摘んで移動させ、識別センサーにかざして感知させたあと、指を離すと、留めてあった上衣の元の位置に戻すことができるように、カードケース本体と、クリップＢなどの留め具の間にリール具を設けるのである。【０００６】  カードケース本体は、従来のカードケース本体と同じように、従業員カードや名札などの長方形の板状物を収容できるように、大きさは、名刺サイズよりやや大きい長方形の板状で、ストラップで首から吊るした状態にしたとき、上側や左側や右側を開放状態とし、下側は密閉して、下側から脱落しないような薄っぺらなケース状とすると、開放させている側から従業員カードや名札を差し込み、内部に収容でき効果的である。【０００７】  カードケース本体を識別センサー機にかざしたとき、カードケース本体に収容している従業員カードなどは、内蔵しているＩＣなどによって、相互に作動感知させるため、カードケース本体は、半透明や色付きでも良いが、識別センサー機にかざす以外に、普段、首から吊るしている状態で前から見られたとき、誰であるか認識できるようにカードケース本体の前面は透明であった方が良いのである。【０００８】  カードケース本体は、一端を接続し巻き取り部に巻かれている紐を、巻き取り部の外側のリール具に設けた穴部から引き出し、引き出した紐の他端をクリップＡなどの留め具で、カードケース本体に接続されており、リール具には、ワイシャツなどの上衣に留めるためのクリップＢなどの留め具が接続されているので、カードケース本体をストラップで首から吊るしていても、カードケース本体か、カードケース本体に取り付けたクリップＡなどの留め具を指で掴んで身体の前の方に移動させることで、クリップＡなどの留め具や、クリップＢなどの留め具を外すことなく、識別センサー機にかざすことができるようになるのである。【０００９】  カードケース本体の強度は、カードケース本体を摘んで移動させたりを繰り返しても容易に割れたり、クラックが入ったりしない強度を有していると効果的である。【００１０】  カードケース本体の上側に、ストラップを取り付けると、従業員カードや名札を内部に収容したまま、首から吊るして携帯できるようになり効果的である。カードケース本体の上側にストラップを取り付けるときは、カードケース本体上側から従業員カードや名札を差し入れることを阻害しないようなカードケース本体の構造とするなどして取り付けることができるようにすると効果的である。【００１１】  紐の一端は、クリップＡなどの留め具に接続し、紐を接続させたクリップＡなどの留め具でカードケース本体に接続させるのであり、紐の他端は、リール具内部の巻き取り部に接続して巻き付けるのであり、巻き付けた紐が伸ばされたり、巻き戻したりしなければならないので、リール具内部に設ける巻き取り部は、棒状体にして、紐の一端を接続して巻き付けておくと���巻き取り部が回転し、巻き付けている紐を伸ばしたり、巻き戻したりしやすくなり効果的である。【００１２】  紐の一端をクリップＡなどの留め具に接続させ、他端をリール具に接続させることにより、例えば、カードケース本体をストラップで首から吊るしたとき、リール具は、カードケース本体の下側に取り付けたクリップＡなどの留め具に接続されたまま、紐の他端側、つまり、クリップＡなどの下方の位置に取り付けるようになり、リール具に接続したクリップＢなどの留め具でワイシャツなどの上衣に留めておきやすくなるので便利である。【００１３】  リール具は、内部を空洞にして、巻き取り部や、巻き取り部に巻き付けた紐や、巻き戻しのためのトーションバネなどが収容できるスペースを有していると、剥き出しの状態で紐を巻き付けなくて済むので、巻き付けた紐を伸ばしたり、巻き戻したりを行うとき外部からの障害を受けにくくなり効果的である。【００１４】  リール具には、内部の巻き取り部に巻き付けた紐を引き出すための穴部を設けておくことで、引き出された紐が、スムーズに伸ばされたり、巻き戻されたりを繰り返すことができるようになるのである。【００１５】  リール具に設ける穴部は、紐がスムーズに動く大きさであれば良く、穴部から引き出された紐の他端が接続されているクリップＡの方向、つまり、クリップＡの下方に紐で接続されているリール具のサイド面の上側の位置に設けて、穴部から引き出された紐がクリップＡ方向に向いている状態になるように設けておくと、紐がスムーズに動きやすく効果的である。【００１６】  リール具内部の巻き取り部に紐の一端を接続して、紐を巻き付けたり、伸ばしたりさせる方法は、リール具の内部を横方向に棒状体の巻き取り部を取り付け、巻き取り部に紐を巻き付けておく以外に、ヨーヨーのように、円形状のリール具の中心部に、縦方向に棒状体の巻き取り部を取り付け、その周囲に紐を巻き付けてもどちらでも良いのである。【００１７】  紐は、一端をカードケース本体に取り付けるクリップＡなどの留め具に接続させ、他端をリール具の巻き取り部に接続し、巻き取り部に巻き付けておくのであり、紐の一端を接続することによってカードケース本体に連結されたリール具は、内部に接続した紐を巻き取るための棒状体の巻き取り部と、巻き取り部を回転させて紐を巻き取る方向に働くトーションバネなどを取り付け、リール具にもクリップＢなどの留め具を取り付けておくことで、リール具に取り付けたクリップＢなどの留め具で、ワイシャツなどの上衣に、カードケース本体を留めておくことができるようになるのである。【００１８】  紐の長さは、カードケース本体の上側にストラップを取り付けて首から吊り下げ識別センサー機の前に立った際、カードケース本体は、胸前からみぞおち辺りに位置してクリップＢなどの留め具で留められており、ワイシャツなどの上衣に留めたカードケース本体か、カードケース本体に取り付けたクリップＡなどの留め具を指で掴んで身体の前側に引っ張り、カードケース本体を識別センサー機にかざせる長さにすると効果的である。【００１９】  紐の太さは、なるべく細い紐にすると、巻き付け部に巻き付けた際、リール具内部のスペースを取らず、リール具を小さくでき効果的である。【００２０】  紐は、一端をクリップＡなどの留め具で接続させたカードケース本体の主に下側に取り付けられ、他端は、リール具の巻き取り部に巻き付けられており、引っ張って伸ばされたり、トーションバネなどによって巻き戻されたりしても切れない強度を有していると効果的である。また、紐は、トーションバネの巻き戻し力で巻き取り部に巻き戻り、さらに、切れない強度を有していれば、糸やたこ糸などの植物繊維製や合成繊維製やピアノ線などの金属製やゴム製を用いても良いのである。【００２１】  クリップＡなどの留め具はカードケース本体に取り付けることができ、クリップＢなどの留め具はワイシャツなど上衣を挟んで留めておくことできればどのような留め具でも良く、容易に着脱できる構造のクリップを用いると便利である。また、クリップＡなどの留め具は、カードケース本体が薄っぺらい板状のケース状で、下側か横側から挟んで使用することがほとんどなので、カードケース本体を挟んで留めておければ良いが、クリップＢなどの留め具の場合は、ワイシャツなど前開きの上衣のときは、身体の前で合わさった部分にネクタイピンをさすように、横側から生地を挟み込んで留めることができるので、カードケース本体を挟めるようなクリップＡなどの留め具と同じ種類でも良いが、ポロシャツなど前開きでない上衣の場合は、上衣の生地表面から挟み込んでクリップできる種類の留め具を用いないと上衣に留めておくことが難しいため、上衣の種類によって挟み方を変えた留め具を用いて使用できるように、上衣の種類によって挟み方の異なるクリップＢなどの留め具のバリエーションを取り揃えておくと便利である。【００２２】  クリップＡやクリップＢなどの留め具の大きさは、大きければ目立ってしまうので、あまり目立たない大きさが望ましく、形状は、リール具と接続できる形状であればどのような形状でも良いのである。【００２３】  クリップＢなどの留め具の形状として、ワイシャツなどの上衣にネクタイを着けている場合、ワイシャツなどの上衣の前開き部分とネクタイを一緒に挟んで留めておくことができるように、クリップＢなどの留め具の形状をネクタイピンのような形状にしたり、ネクタイピンと兼用できる構造にしたり、クリップＢなどの留め具にネクタイピンを取り付けたような構造にしておくと、カードケース本体を留めておきながらクリップＢなどの留め具の着脱が容易にでき効果的である。【００２４】  ストラップで首から吊るしたカードケース以外に、ストラップで首から吊るした携帯電話のストラップ部分にクリップＡなどの留め具を接続し、クリップＢなどの留め具でワイシャツなどの上衣に留めて、リール具の紐を伸ばしたり、巻き戻したりして使用することもできるのである。また、クリップＡなどの留め具の種類を変えて、携帯電話に、直接、クリップＡなどの留め具を接続して使用しても良いのである。【００２５】  トーションバネを取り付けるときは、リール具内部の巻き取り部に取り付け、巻き取り部に一端を接続して巻き付けている紐が伸ばされるとき、巻き取り部が回転する方向とは反対方向に巻き戻る力を蓄えるように取り付け、カードケース本体か、カードケース本体に取り付けているクリップＡなどの留め具を指で摘んで身体の前の方へ移動させた際、紐が伸ばされることで、巻き取り部が回転したあと、カードケースから指を離すと、トーションバネの巻き戻し力によって、リール具内部の巻き取り部に紐が巻き付けられて行き、元の状態に戻すことができるようになり効果的である。【００２６】  トーションバネの強さは、カードケース本体か、カードケース本体に取り付けたクリップＡなどの留め具を指で摘んで身体の前に移動させ、識別センサー機にかざす行為で伸ばされた紐をリール具の巻き取り部に巻き戻せる巻き戻し力が必要であるが、カードケース本体か、カードケース本体に取り付けたクリップＡなどの留め具を指で摘んで、身体の前に移動させるとき、巻き戻し力が強すぎると、強く引っ張らなければならなくなるので、カードケース本体をスムーズに移動させやすい強さにすると効果的であり、また、巻き戻し力が強すぎると、カードケース本体から指を離したときも、巻き戻し力が強すぎると、身体に強く当たってしまい痛いため、身体に当たっても痛くないように巻き戻し力を調整し、リール具内部の巻き取り部に紐が巻き取られるような強さがあれば効果的である。【００２７】  リール具を取り付ける位置は、カードケース本体とストラップの間に取り付けると、カードケース本体を指で摘んで身体の前に移動させるとき、カードケース本体がワイシャツなど上衣に留められていない場合は問題なく移動させることができるが、カードケース本体をワイシャツなど上衣に留めておく場合は、カードケース本体を指で摘んで身体の前に移動させようとしてもカードケース本体の一部がワイシャツなどの上衣に留まっているため、一度、主にクリップＢなどの留め具の方をワイシャツなどの上衣から外してカードケース本体を移動させて識別センサー機にかざしたあと、再び、クリップＢなどの留め具でワイシャツなどの上衣に留めなければならなくなるので面倒であり、これを解消するためには、リール具をカードケース本体とストラップの間と、カードケースとクリップＢなどの留め具との間の二ヶ所に設けることが必要にならざるを得なくなるので、リール具を設ける位置は、カードケース本体とクリップＢなどの留め具の間にリール具を設けておくと、カードケース本体か、カードケース本体に留めているクリップＡなどの留め具を指で摘んで、身体の前に移動させると、ワイシャツなどの上衣に留めておくクリップＢを外すことなく、リール具の紐が伸びてカードケース本体を識別センサー機にかざしたあと、指を離すと、紐がリール具内部に巻き戻り、元の留めてあった位置に戻すことができるようになり、クリップＢを外すことなく一連の行為を行うことができるようになるので効果的である。【００２８】  リール具は、クリップＡなどの留め具に紐で接続させることでカードケース本体に接続させておいた方が、リール具とカードケースを別々に製造してあとから接続させることができ便利であるが、クリップＡなどの留め具を用いずに、直接、カードケース本体にリール具を取り付けて、リール具から引き出した紐をクリップＢなどの留め具に接続して構成しても良いのである。【００２９】  リール具にクリップＢを取り付けて接続するときは、容易に外れなければどのように接続しても���いが、どちらかに、金属などでできたリング状のフック部を設け、チェーンなどで相手側に接続すると、リール具とクリップＢの間に遊びができて、上衣にクリップＢなどの留め具を取り付けやすくなり効果的である。また、リール具とクリップＢなどの留め具を一体にした構造でも良いのである。【００３０】  リール具とクリップＢなどの留め具を一体にした構造でも良いのであるが、リール具とクリップＡなどの留め具との間は、紐が伸ばせば間隔を空けることができ左右前後に動かしやすいが、リール具とクリップＢなどの留め具との間も、チェーンなどで少し間隔を取ると、リール具とクリップＢの間に遊びができて、クリップＢなどの留め具を左右前後に動かしやすくなり、上衣にクリップＢなどの留め具を取り付けやすくなるので効果的である。【００３１】  本発明は、カードケース本体とクリップＢなどの留め具の間にリール具を設けるものであるので、例えば、リール具をクリップＡなどの留め具と一体にした構造にしてカードケース本体に取り付ける場合は、リール具から引き出される紐の方向がクリップＢなどの留め具の方向を向くように穴部の位置を決めると、スムーズに紐を動かすことができ効果的である。【００３２】  また、紐の一端をリール具内部の巻き取り部に接続させて巻き付けておき、リール具にクリップＢなどの留め具を接続させ、紐の他端をカードケース本体に接続させて使用すれば、クリップＡなどの留め具が要らなくなるのであるが、カードケース本体に、直接、紐の一端を接続するよりも、紐の一端をクリップＡなどの留め具に接続し、紐を接続させたクリップＡなどの留め具で、カードケース本体に取り付けることで、カードケース本体を識別センサー機にかざすとき、カードケース本体を摘んでかざすより、カードケース本体に取り付けたクリップＡなどの留め具を摘んでかざした方が、指で摘んで引っ張る際、カードケース本体にかかるカードケース本体の曲げられる圧力による影響を少なくし、カードケース本体のクラックの発生を少なくでき効果的である。【００３３】  身体の前で多少ぶらぶらしてしまうが、リール具の代わりに、伸縮自在なスプリングホルダーを用い、スプリングホルダーの一端にカードケース本体に取り付けておくためのクリップＡなどの留め具を取り付け、他端にワイシャツなどの上衣に留めておくためのクリップＢなどの留め具を取り付けておき、ストラップを取り付けたカードケース本体を、スプリングホルダーでワイシャツなどの上衣に留めておいても、カードケース本体か、カードケース本体に取り付けたクリップＡを指で摘んで、身体の前の方に移動させたとき、伸縮自在なスプリングホルダーが伸びて、識別センサー機にかざすことができ、指を離すと、スプリングホルダーが縮んで、元の留めてあったワイシャツなどの上衣の位置に戻すことができるようになる。
【実施例】
【００３４】  実施例について図面を参照して説明すると、図１において、カードケース本体（１）に、主にプラスチック製の板状の従業員カード（２）や名札などを入れ、ストラップ（３）を取り付けて、取り付けたストラップ（３）で首から吊るして携帯されるカードケース本体（１）において、紐（９）の一端を、リール具（６）内部の巻き取り部（７）に接続させて巻き付けておき、巻き取り部（７）に主にトーションバネ（１０）を取り付けておき、リール具（６）には、ワイシャツ（１１）など上衣に留めておくためのクリップＢ（５）などの留め具を接続させておき、リール具（６）に穴部（８）を設け穴部（８）から紐（９）の他端を引き出し、クリップＡ（４）などの留め具に、紐（９）の他端を接続し、紐（９）を接続したクリップＡ（４）などの留め具で、カードケース本体（１）の主に下側に取り付けて接続させる。【００３５】  図２では、カードケース本体（１）を首から吊るしてワイシャツ（１１）など上衣へ留めておく使用状態を示す正面図であり、紐（９）の一端を、リール具（６）内部の巻き取り部（７）に接続させて巻き付けておき、巻き取り部（７）に主にトーションバネ（１０）を取り付けておき、リール具（６）には、ワイシャツ（１１）など上衣に留めておくためのクリップＢ（５）などの留め具を接続させておき、リール具（６）に穴部（８）を設け穴部（８）から紐（９）の他端を引き出し、クリップＡ（４）などの留め具に、紐（９）の他端を接続し、紐（９）を接続したクリップＡ（４）などの留め具で、カードケース本体（１）の主に下側に取り付けて接続させておくことにより、普段は、カードケース本体（１）をクリップＢ（５）など留め具でワイシャツ（１１）などの上衣に留めておいたり、外したりできるようにしながら、出入り口で名札を識別センサー機（１２）にかざすとき、いちいち、一度、クリップＡ（４）などの留め具をカードケース本体（１）から外したり、クリップＢ（５）などの留め具をワイシャツ（１１）などの上衣から外さないで、カードケース本体（１）やカードケース本体（１）に接続したクリップＡ（４）などの留め具を指で摘んで身体の前などに移動させることで、リール具（６）の巻き取り部（７）に巻き付けてある紐（９）が伸びて、カードケース本体（１）に差し込んで収容している従業員カード（２）ごと、識別センサー機（１２）にかざして、識別感知させたあと、カードケース本体（１）を離すと、トーションバネ（１０）の巻き戻し力によって、伸びていた紐（９）がリール具（６）内部の巻き取り部（７）に再び巻き戻され、ワイシャツ（１１）など上衣へ留めておいた元の位置に自動的に戻るように、カードケース本体（１）とクリップＢ（５）などの留め具との間に、リール具（６）を設けたカードケースなどを上衣に留めておくための留め具であり、リール具（６）の穴部（８）から引き出され、伸ばした紐（９）が、再び、巻き取り部（７）に巻き戻らせるために働くようにトーションバネ（９）を取り付け、さらに、リール具（６）に、クリップＢ（５）などの留め具を接続させておくことで、普段は、カードケース本体（１）をクリップＢ（５）など留め具でワイシャツ（１１）などの上衣に留めてお��たり、外したりできるようにしながら、いちいち、一度、クリップＢ（５）などの留め具をワイシャツ（１１）などの上衣から外さないで、カードケース本体（１）か、カードケース本体（１）に取り付けたクリップ（４）などの留め具を指で摘んで身体の前などに移動させ、指を離すとトーションバネ（８）の巻き戻し力を利用して、カードケース本体（１）が、ストラップ（３）で首から吊るして、クリップＢ（５）などの留め具で留められていたワイシャツ（１１）など上衣の元の位置に戻るようにすることができる。【００３６】  図３では、使用状態を示す斜視図であり、普段は、カードケース本体（１）をクリップＢ（５）など留め具でワイシャツ（１１）などの上衣に留めておいたり、外したりできるようにしながら、出入り口で名札を識別センサー機（１２）にかざすとき、いちいち、一度、カードケース本体（１）に取り付けたクリップＡ（４）などの留め具を外したり、ワイシャツ（１１）などの上衣に取り付けたクリップＢ（５）などの留め具を外すことなく、カードケース本体（１）か、カードケース本体（１）に取り付けたクリップＡ（４）などの留め具を指で摘んで身体の前などに移動させることで、リール具（６）の巻き取り部（７）に巻き付けてある紐（９）が伸びて、カードケース本体（１）に差し込んで収容している従業員カード（２）ごと、身体の前の方に移動させて、識別センサー機（１２）にかざして、識別感知させることができるのである。【００３７】  図４では、紐（９）の一端を、クリップＡ（４）などの留め具に接続し、クリップＢ（５）などの留め具を、リール具（６）の外側に接続した状態で、リール具（６）を構成する外側のケース部分を半分外して、リール具（６）内部が見えるようにしたリール具（６）内部の内容を示す拡大正面図であり、クリップＡ（４）などの留め具やクリップＢ（５）などの留め具が固定されて、リール具（６）の巻き取り部（７）に巻き付けている紐（９）を伸ばすとき、穴部（８）を通って、クリップＡ（４）などの留め具側に、紐（９）を伸ばすと、巻き取り部（７）が回転し、紐（９）を伸ばすために回転した反対方向に巻き戻し力が働くように、リール具（６）内部にトーションバネ（１０）などを取り付けておくことで、カードケース本体（１）に差し込んで収容している従業員カード（２）ごと、身体の前の方に移動させて、識別センサー機（１２）にかざして、識別感知させ、カードケース本体（１）から指を離すと、トーションバネ（１０）の巻き戻し力によって、伸ばされていた紐（９）が、リール具（６）内部の巻き取り部（７）に再び巻き戻され、ワイシャツ（１１）など上衣の元の留めてあった位置に自動的に戻るようになるのである。【００３８】  リール具（６）内部の巻き取り部（７）に紐（９）の一端を接続して、紐（９）を巻き付けたり、伸ばしたりさせる方法は、リール具（６）内部の巻き取り部（７）に巻き付けた紐（９）を伸ばしたり、巻き戻すことができれば、リール具（６）の内部に棒状体の巻き取り部（７）を横方向に取り付け、巻き取り部（７）に紐（９）を巻き付けておく図４で示した方法以外に、ヨーヨーのように、円形状のリール具（６）の中心部に、棒状体の巻き取り部（７）��縦方向に取り付け、その周囲に紐（９）を巻き付けてもどちらでも良いのである。また、リール具（６）の形状は、内部に巻き取り部（７）や、巻き取り部（７）に巻き付ける紐（９）、トーションバネ（１０）を収容しておけるスペースを有しておれば、どのような形状でも良いのである。【００３９】  リール具（６）は、ストラップ（３）とカードケース本体（１）との間に設けるより、カードケース本体（１）とワイシャツ（１１）など上衣に留めておくクリップＢ（５）などの留め具までの間に設けた方が、クリップＢ（５）などの留め具を外さずに、カードケース本体（１）を身体の前の方に移動させて識別センサー機（１２）にかざすことができ効果的である。【００４０】  クリップＡ（４）などの留め具は、カードケース本体（１）に取り付けるために使用し、クリップＢ（５）などの留め具は、ワイシャツ（１１）などの上衣に留めておくために使用するのであり、クリップＡ（４）などの留め具とクリップＢ（５）などの留め具の種類や形状は、カードケース本体（１）に取り付けることと、ワイシャツ（１１）などの上衣に留めておくことができれば同じような種類や形状でも良く、カードケース本体（１）に取り付けやすい種類や形状としたり、ワイシャツ（１１）などの上衣に留めておきやすい種類や形状とするために、クリップＡ（４）などの留め具とクリップＢ（５）などの留め具の種類や形状を変えても良いのである。【００４１】  クリップＡ（４）などの留め具をカードケース本体（１）に取り付けることで、カードケース本体（１）を身体の前の方に移動させるとき、カードケース本体（１）に取り付けているクリップＡ（４）などの留め具を摘んで移動させることにより、カードケース本体（１）を指で摘んで移動させるより、カードケース本体（１）を指で摘んだ部分ゆがんで、カードケース本体（１）にクラックが入るという影響を少なくでき、カードケース本体（１）の耐久性を上げることができるので効果的である。【００４２】  本発明は、ストラップで首から吊るしたカードケース本体（１）が、普段、身体の前でぶらぶらしてじゃまにならないようにクリップＢ（５）などの留め具でワイシャツ（１１）などの上衣に留めておきながらも、留めたまま、カードケース本体（１）か、カードケース本体（１）に取り付けたクリップＡ（４）などの留め具を指で摘んで、身体の前の方に移動させて、識別センサー機（１２）にかざしたあと、指を離すと、自動的に留めてあったワイシャツ（１１）などの上衣の元の位置に戻るように為された従業員カード（２）などの携帯用カードケースであり、カードケース本体（１）やストラップ（３）、クリップＡ（４）やクリップＢ（５）などの留め具、リール具（６）などのデザインや意匠を述べているものではないのである。
【発明の効果】
【００４３】  本発明は，以上述べてきたような内容で実施され、以下に記載されるような効果を奏する。
【００４４】  従業員カードや名札などを入れ、ストラップで首から吊るして携帯して使用されるカードケースに、クリップＢなどの留め具を取り付けてあるので、クリップＢなどの留め具で、ワイシャツなどの上衣に留めておけば、歩いているときや、走っているとき、前かがみになったり、身体を動かしているときでも、身体の前で、カードケースがぶらぶらせず、じゃまにならないので効果的である。
【００４５】  ストラップで首から吊るして使用するカードケースと、クリップＢなどの留め具との間に、主にトーションバネを取り付けたリール具設けているので、普段は、クリップＢなどの留め具でワイシャツなどの上衣に留めて使用でき、カードケースに入れている従業員カードや名札を識別センサー機にかざしてドアを開けて出入りするとき、いちいち、一度、カードケース本体からクリップＡなどの留め具や、ワイシャツなどの上衣に留めているクリップＢなどの留め具を外して身体の前の方に引っ張り上げてかざさなくとも、留めたまま、カードケースか、カードケースに取り付けたクリップなどの留め具を指で掴んで、身体の前の方に引っ張ると、リール具に巻き付けてあった紐が伸びて、従業員カードごと、カードケースを身体の前の方に移動させて、識別センサー機にかざして識別感知させ出入り口のドアを開けることができ便利である。
【００４６】  留めているカードケースやワイシャツなどの上衣からクリップＢなどの留め具を外すことなく、カードケースを引っ張って、識別センサー機にかざしたあと、カードケースを離すと、リール具に取り付けておいた、主にトーションバネの巻き戻し力によって、伸びていた紐が、再び、リール具内部の巻き付け部に巻き戻り、識別センサー機にかざすために伸ばした紐を手動で巻き戻さなくとも自動的に巻き戻り、元の留めてあった位置に戻るので便利である。
【００４７】  識別センサー機にカードケースをかざすとき、識別センサー機は、大体、出入り口近くの壁面の胸から顔くらいの高さの位置に設置されていることが多いが、本発明では、リール具に巻かれている紐を引っ張って伸ばせば、クリップＢなどの留め具でワイシャツなどの上衣に留めたままカードケースを身体の前の方に移動させて識別センサー機にかざし、指を離すと元の留めてあった位置に自動的に戻すことができるため、従来のカードケースの場合のように、クリップなどの留め具でワイシャツなどの上衣に留めていないので、カードケースを身体の前の方に移動させて識別センサー機にかざしやすいが、身体の前でぶらぶらしてじゃまになったり、ワイシャツなど上衣にクリップなどの留め具で留めておくだけのカードケースのように、身体の前でぶらぶらせずじゃまにならないが、識別センサー機にかざすとき、いちいち、一度、クリップなどの留め具を外してかざしてから、もう一度クリップなどの留め具でワイシャツなどの上衣に留めなければならないと言う面倒さと、身体の前でぶらぶらしてじゃまになると言う両方の問題を一度に解消することができ便利である。
【００４８】  最近は、厳しい情報管理によって、カードケースをかざして、識別・感知させ、出入りできる人を区別するため、建物の内部の出入り口にも識別センサーが多く取り付けられており、カードケースをかざして、識別・感知させて出入りすることが多くなっているが、本発明のカードケースを使用することによって、普段は、ワイシャツなどの上衣にクリップＢなどの留め具で留められていてぶらぶらじゃまにならず、識別センサー機にかざすときは、カードケースか、カードケースに取り付けたクリップＡなどの留め具を指で摘んで引っ張ってかざして、指を離すと留めてあった元の位置に戻るため、識別センサー機が設置されている出入り口がたくさんあっても面倒なく使用できるのである。
【００４９】  識別センサー機で識別する名札や従業員カードは、読み取り識別されるため、従業員カードや名札以外に、会員証や入門証などに用いて、首から吊り下げていても身体の前でじゃなにならずに、上衣に留めたまま外す面倒なく、識別センサー機で識別させて出入りする人を区別したり、チェックしたりすることがコンサートや美術館など会社以外の場所でも可能になり便利である。
【００５０】  ストラップで首から吊るしたカードケースに従業員カードを入れて携帯したまま、昼食で外に出るとき、従来は、いちいち胸ポケットにカードケースを押し込んで、戻ってきたとき再び胸ポケットから出して使用していたが、ワイシャツなど上衣に留めておかない従来のカードケースの場合は、普段、身体の前でぶらぶらしていてじゃまになり、ワイシャツなど上衣にクリップなどの留め具で留めるだけのカードケースの場合は、いちいちクリップなどの留め具を外して胸ポケットに押し込み、戻って来たときは再びワイシャツなど上衣に留めなければならなく面倒であったが、本発明では、普段は、ワイシャツなどの上衣にクリップＢなどの留め具で留められているので身体の前でじゃまにならず、昼食などで外に出るときは、少しカードケースを前の方に引っ張って紐を伸ばして、カードケースを裏返せば裏返しの状態で保持でき、戻ってきたときに、少しカードケースを前の方に引っ張って紐を伸ばして、再び、おもて側に戻しながら、さらにカードケースを身体の前の方に引っ張って紐を伸ばし、カードケースを識別センサー機にかざすことができ便利である。また、胸ポケットがない上衣を着ることが多い女性が外に出る場合、カードケースを裏返しておいても、クリップなどの留め具で留めておかないと、すぐ、おもて側を向いてしまい、勤務先や名前や従業員番号を知られてしまうことがあったが、本発明のカードケースを使用することで、カードケースを裏返したまま保持でき女性個人のセキュリティー的にも安心である。
【００５１】  ストラップで首から吊るしていると、普段、身体の前でぶらぶらしていてじゃまになるので、首から吊るすのを嫌がり、カードケースを背広のポケットやハンドバッグの中に入れて持ち歩き、識別センサー機にかざすとき、ポケットやハンドバッグから取り出してかざしている人が多くいるが、普段はじゃまにならず、識別センサー機にかざしやすい本発明のカードケースを使用させることで、従業員に、従業員カードを首から吊るさせる比率を上げることができ、従業員カードを見える位置に吊るさせ留めておくことで身体の前で大きく動かないので見やすく確認しやすくなり、セキュリティーアップに役立つようになるのである。
【００５２】  本発明では、クリップＢなどの留め具の種類を変えることにより、前開きのワイシャツや前開きのワイシャツにネクタイをしている場合や作業服など以外のＴシャツやポロシャツなど、どのような上衣にも、また、上衣のどのような位置にでも留めておくことができ、巻き付けている紐の長さを変えることにより、上衣以外ズボンなどにも留めることができ、留めた位置から識別センサー機まで引っ張る長さもリール具に巻き付ける紐の長さを変えるだけで対応でき効果的である。
【００５３】  本発明のカードケースは、ストラップで首から吊るすカードケース以外に、クリップなどの留め具で、胸ポケットの外側に留めるタイプのカードケースにも応用することができ、胸ポケットに付けた名札ケースを識別センサー機にかざすとき、いちいち取り外してかざすのが面倒なため、背伸びしたり、屈んだりして、カードケースをかざすことなく、カードケースを引っ張って識別センサーにかざして指を離すと元の留めてあった位置に戻すこともできるようになるのである。
【図面の簡単な説明】
【図１】  本発明の正面図である。
【図２】  本発明の使用状態を示す正面図である。
【図３】  本発明の使用状態を示す斜視図である。
【図４】  リール具内部の内容を示す拡大正面図である。
【符号の説明】
１    カードケース本体
２    従業員証カード
３    ストラップ
４    クリップＡ
５    クリップＢ
６    リール具
７    巻き付け部
８    穴部
９    紐
１０  トーションバネ
１１  ワイシャツ
１２  識別センサー機
【図１】
2005034580.tif 000003
【図２】
2005034580.tif 000004
【図３】
2005034580.tif 000005
【図４】
2005034580.tif 000006